(57)【要約】      （修正有）【課題】多彩な感情を伝えることができ、操作の容易な人形劇用の人形を提供する。【解決手段】人形劇用の人形は、演者が顔を露出した状態で、該演者の頭部を覆うとともに役柄に応じた形状を有する頭巾部２と、演者の首に取り付けられて演者の胸部の前面に配置される、被り物と関連した役柄に応じた形状を有する人形の胴体部３と、胴体部３の上部両端から延びる一対の腕部３２の裏に取り付けられる操作部４と、を備える。操作部４は、把持可能な棒状部材であり、胴体部３は、演者に取り付ける取り付け部３１を有し、該取り付け部３１は、上端縁の幅方向における両端からそれぞれ延びる一対の紐体により構成される。【選択図】図２
0003205503.tif 000002
【実用新案登録請求の範囲】
【請求項１】
人形劇用の人形であって、
演者が顔を露出した状態で、該演者の頭部を覆うとともに役柄に応じた形状を有する被り物と、
前記演者の首に取り付けられて前記演者の胸部の前面に配置される、前記被り物と関連した前記役柄に応じた形状を有する前記人形の胴体部と、
前記胴体部の上部両端から延びる一対の腕部の裏に取り付けられる操作部と、を備える人形劇用の人形。
【請求項２】
前記操作部は、把持可能な棒状部材であり、
前記胴体部は、前記演者に取り付ける取り付け部を有し、
該取り付け部は、上端縁の幅方向における両端からそれぞれ延出する一対の紐体により構成される請求項１に記載の人形劇用の人形。
【考案の詳細な説明】
【技術分野】
【０００１】
本考案は、人形劇用の人形に関する。
【背景技術】
【０００２】
従来、人形の手足等に糸を取り付け、舞台の上方で人間が糸を操る操り人形の人形劇や、人形の内部に手を入れて舞台の下方で人間が人形を操作する人形劇、又は人形の裏に棒を取り付けて、スクリーンに人形を映し出して演じる影絵等が知られている（例えば、特許文献１及び２参照）。
【先行技術文献】
【特許文献】
【０００３】
【特許文献１】実開昭５９−２２２００号公報
【特許文献２】実開昭５８−７４９８９号公報
【考案の概要】
【考案が解決しようとする課題】
【０００４】
しかしながら、特許文献１及び２のような人形劇は、人形の表情を変えることができないので、人形劇の内容に沿って人形の感情を伝えるための人形の操作に熟練が必要となったり、人形の表情が変わらないことで、観客の心をつかみにくい場合があった。
【０００５】
本考案は、多彩な感情を伝えることができ、操作の容易な人形劇用の人形を提供することを目的とする。
【課題を解決するための手段】
【０００６】
上記目的を達成するため本考案は、人形劇用の人形（例えば、後述の人形１）であって、演者が顔を露出した状態で、該演者の頭部を覆うとともに役柄に応じた形状を有する被り物（例えば、後述の頭巾部２）と、前記演者の首に取り付けられて前記演者の胸部の前面に配置される、前記被り物と関連した前記役柄に応じた形状を有する前記人形の胴体部（例えば、後述の胴体部３）と、前記胴体部の上部両端から延びる一対の腕部（例えば、後述の腕部３２）の裏に取り付けられる操作部（例えば、後述の操作部４）と、を備える人形劇用の人形を提供する。
【０００７】
前記操作部は、把持可能な棒状部材であり、前記胴体部は、前記演者に取り付ける取り付け部（例えば、後述の取り付け部３１）を有し、該取り付け部は、上端縁の幅方向における両端からそれぞれ延びる一対の紐体により構成されることが好ましい。
【考案の効果】
【０００８】
本考案によれば、多彩な感情を伝えることができ、操作の容易な人形劇用の人形を提供することができる。
【図面の簡単な説明】
【０００９】
【図１】本考案の一実施形態における人形及び人形を操作する演者を示す模式図である。
【図２】本考案の一実施形態における人形を示し、（ａ）図は、頭巾部を、（ｂ）図は、胴体部を示す図である。
【図３】本考案の他の実施形態における人形を示し、（ａ）図は、頭巾部を、（ｂ）図は、胴体部を示す図である。
【考案を実施するための形態】
【００１０】
図１は、本考案の一実施形態における人形劇用の人形１及び人形１を操作する演者を示す模式図である。図２は、（ａ）は人形１の被り物としての頭巾部２を示し、図１（ｂ）は、胴体部３を示す図である。
図１及び図２（ａ）、（ｂ）に示すように人形１は、頭巾部２と、胴体部３と、操作部４と、を有する。
図２（ａ）に示すように、頭巾部２は、演者の頭部を覆う布で形成されており、役柄に応じた形状を有する。図２（ａ）では、例示として、童話「赤ずきんちゃん」の主人公の少女が被る頭巾を模している。頭巾部２は、正面に開口部２１を有し、開口部２１を通して演者の顔が露出する。頭巾部２は、以下に説明する胴体部３とは別体で構成され、頭巾部２の下端は演者の肩にかかる程度の長さに構成されている。
【００１１】
図２（ｂ）に示すように、胴体部３は、胴体本体部３０と、取り付け部３１と、一対の腕部３２と、一対の脚部３３と、を有する。胴体部３は、頭巾部２と関連した役柄に応じた形状を有する。「関連づけられた」とは、役柄の上で頭巾部２と胴体部３が同一の役柄を表すような想念上の関連性を有することを意味する。胴体部３は、頭巾部２と同一の布等の部材で形成されていてもよい。本実施形態では、胴体部３は、頭巾部２と同じ布で作られたワンピースに、エプロンをかけた衣装があしらわれている。
胴体本体部３０は、人形１の胴体を構成する部分であり、演者の胸部に取り付けて使用される部分である。胴体本体部３０は、演者の胸部側に接する内側面３０１と、観客側の外側面３０２との間に、綿等のクッション部材（図示せず）を詰めて形成した立体的な形状を有する。
取り付け部３１は、胴体本体部３０の上端縁において、幅方向の一方及び他方からそれぞれ延出する紐体により構成される。２本の紐体は、演者の首の背面側で結ばれる。
一対の腕部３２は、胴体本体部３０の上部両端から延びる。一対の腕部３２は先端に手部３２１を有している。一対の腕部３２は、胴体本体部３０と同様に、内部に柔軟な素材を詰めて立体的に形成され、屈曲自在である。
一対の脚部３３は、胴体本体部３０の下端に一対設けられる。一対の脚部３３は、役柄に応じて大きさや形状が決定される。
【００１２】
操作部４は、一対の腕部３２における手部３２１の背面（裏面）に、棒状部材がそれぞれ取り付けられることで構成される。操作部は、演者が把持して腕部３２を動かせる程度の長さを有し、例えば１５ｃｍ〜２５ｍ程度の長さを有する。
【００１３】
図１及び図２（ａ）及び（ｂ）を参照して、本実施形態における人形の使用の状態を説明する。
図１に示すように、演者は、頭巾部２をかぶり、開口部２１から顔を露出させる。そして、図２（ｂ）に示す胴体部３における取り付け部３１の紐体を、首の後ろで蝶結び等に結んで取り付け、胴体部３を首からぶら下げるように装着する。胴体部３は、演者の胸部の前面に配置される。この状態で、手部３２１から延びる操作部４の棒状部材を握持することで、人形１の腕部３２及び手部３２１を操作する。脚部３３は、胴体本体部３０の動きに追従して動くようになっている。
【００１４】
人形劇を行う場合、人形の脚部３３の近傍が届く程度の台を演者の前に配置し、演者は操作部４を操作しながら演劇をする。人形の表情は、演者の顔によって表現される。
【００１５】
本実施形態によれば、以下の効果が奏される。
本実施形態では、人形劇用の人形１を、演者が顔を露出した状態で、該演者の頭部を覆うとともに役柄に応じた形状を有する頭巾部２と、演者の首に取り付けられて演者の胸部の前面に配置される、被り物と関連した役柄に応じた形状を有する人形１の胴体部３と、胴体部３の上部両端から延びる一対の腕部３２の裏に取り付けられる操作部４と、を含んで構成した。
これにより、演者の表情や声色により人形１の表情が表されるため、人形の役中の感情が観客に伝わりやすい。また、人形を主に頭巾部２及び演者の胸部に配置する胴体部３により構成し、腕部３２を操作部４で操作するため、人形の動きが簡単に操作でき、人形１の操作に熟練した者でなくても、誰でも演じることができる。
【００１６】
本実施形態では、操作部４を、把持可能な棒状部材で構成した。また、胴体部３を、演者に取り付ける取り付け部３１を含んで構成し、取り付け部３１を、上端縁の幅方向における両端からそれぞれ延びる一対の紐体により構成した。これにより、人形の着脱が容易になり、劇の最中に演者が人形を取り替えることも可能である。
【００１７】
本考案は上記実施形態に限定されるものではなく、本考案の目的を達成できる範囲での変形、改良等は本考案に含まれる。
図３（ａ）及び図３（ｂ）は、本考案の他の実施形態における人形１Ａを示し、（ａ）図は、頭巾部２Ａを、（ｂ）図は、胴体部３Ａを示す図である。図３（ａ）及び図３（ｂ）に示すように、人形１Ａは、劇中の役割に応じて所望の形状に形成することができる。他の実施形態では、人形１Ａは、「たぬき」を表すように形成され、耳のついた帽子の頭巾部２Ａと、尾のついた胴体部３Ａを有している。頭巾部２Ａと胴体部３Ａとは同じ布で形成されている。
他の実施形態によっても、上記と同様の効果を奏することができる。
【００１８】
なお、上記実施形態では、取り付け部３１は一対紐体により構成されているが、これに限られない。取り付け部は、胴体本体部３０の上端から延びる帯状のベルトにボタンやメカニカルファスナを設けたものや、環状のゴム紐が取り付けらえたものでもよい。
また取り付け部３１は、胴体部３の上端縁の幅方向における両端からそれぞれ延出しているが、首にかける紐体に加えて、胴体部３の上下方向の中央部近傍で、幅方向における両端から一対の紐体を延出させ、演者の胸部又は胴体の後ろで係着させる補助的な取り付け部を有していてもよい。
【００１９】
また、操作部４は、手部３２１に棒状部材を設けることで構成されているが、これに限られない。操作部は、演者の手又は指と腕部３２とを、ゴムやピン等で一体となるように係止させてもよい。
【００２０】
また、上記実施形態では、頭巾部と胴体部とが同一の素材で形成されているが、これに限られない。頭巾部がスカーフや帽子等で形成され、胴体部が上着とスカートやズボンなどをあしらったものであっても、役柄の上で頭巾部２と胴体部３が同一の役柄を表すような想念上の関連性を有していればよい。
【符号の説明】
【００２１】
１    人形
２    頭巾部（被り物）
３    胴体部
４    操作部
３１  取り付け部
３２  腕部
【図１】
0003205503.tif 000003
【図２】
0003205503.tif 000004
【図３】
0003205503.tif 000005